(57)【要約】【課題】従来の電気掃除機は、蓋を閉成状態でロックさせるために、ボールと、ガイド手段を設けるようにしているので、部品点数が増加したり、構造が複雑化になるといった欠点があった。【解決手段】集塵ケースにこの集塵ケースの開口部に蓋を係止させるための係止手段を設け、掃除機本体に集塵ケースを集塵部から外した状態で集塵蓋が閉じることを阻止する阻止手段を設け、この阻止手段に係止手段の一部を収容する凹部を形成した。【選択図】図１
2008000381.tif 000002
【特許請求の範囲】
【請求項１】
電動送風機及び集塵部を有する掃除機本体と、前記集塵部を開閉する集塵蓋と、前記集塵部に着脱自在に設けられた集塵ケースとを有し、
前記集塵ケースは、塵埃を収容する塵埃収容部と、該塵埃収容部の開口部を開閉する塵埃排出蓋と、該塵埃排出蓋を前記開口部に係止させる係止手段とを有する電気掃除機において、
前記集塵ケースを前記集塵部から外した状態で前記集塵蓋が閉じることを阻止する阻止手段を有し、
前記阻止手段には前記集塵ケースを前記集塵部に取り付けた状態で前記係止手段の一部を収容する凹部が設けられていることを特徴とする電気掃除機。
【請求項２】
電動送風機及び集塵部を有する掃除機本体と、前記集塵部を開閉する集塵蓋と、前記集塵部に着脱自在に設けられた集塵ケースとを有し、
前記集塵ケースは、塵埃を収容する塵埃収容部と、該塵埃収容部の開口部を開閉する塵埃排出蓋と、該塵埃排出蓋を前記開口部に係止させる係止手段とを有する電気掃除機において、
前記集塵ケースを前記集塵部から外した状態で前記集塵蓋が閉じることを阻止する阻止手段を有し、
前記阻止手段は前記集塵ケースを前記集塵部に取り付けた状態で前記係止手段を覆うように動作することを特徴とする電気掃除機。
【発明の詳細な説明】
【技術分野】
【０００１】
本発明は、電気掃除機に関するものである。
【背景技術】
【０００２】
従来の電気掃除機として、例えば特許文献１（特開２００５−５２５５２号公報）がある。この特許文献１では、掃除機本体から取り外し可能な集塵ケースを備え、この集塵ケース内に吸込んだ塵埃を集塵するようにしている。集塵ケース内に塵埃が溜まると、集塵ケースにヒンジによって開閉可能に設けられた蓋を開き、溜まった塵埃を廃棄するようにしている。蓋は係止爪を有するボタンで閉成状態に維持され、ボタンを押すことによって係止状態が解除され、蓋が開放される。特許文献１では、ボタンは集塵ケースを掃除機本体から取り外す際に使用者が握るハンドル部の後部に設けられている。このため、集塵ケースを掃除機本体から取り外す際、使用者が誤ってボタンを押した状態で集塵ケースを掃除機本体から取り外してしまうと、蓋が開いて集塵ケース内に溜まった塵埃が飛び出してしまう虞がある。そこで、特許文献１では、ボタンに近傍に移動可能なボールと、このボールの移動をガイドするガイド手段とを設け、蓋が閉成状態でロックされ、集塵ケースを傾斜させるとボールが移動してロックが解除させるような機構を設けるようにしていた。
【０００３】
【特許文献１】特開２００５−５２５５２号公報
【発明の開示】
【発明が解決しようとする課題】
【０００４】
しかしながら、上記特許文献１に記載の技術においては、蓋を閉成状態でロックさせるために、ボールと、ガイド手段を設けるようにしているので、部品点数が増加したり、構造が複雑化になるといった欠点があった。
【０００５】
そこで本発明の目的は上記従来の課題を解決し、部品点数の増加を抑えつつ、簡単化構成で集塵ケースの取り出し時における誤操作を防止する電気掃除機を提供することにある。
【課題を解決するための手段】
【０００６】
上記目的を達成するために本発明の特徴とするところは、電動送風機及び集塵部を有する掃除機本体と、前記集塵部を開閉する集塵蓋と、前記集塵部に着脱自在に設けられた集塵ケースとを有し、前記集塵ケースは、塵埃を収容する塵埃収容部と、該塵埃収容部の開口部を開閉する塵埃排出蓋と、該塵埃排出蓋を前記開口部に係止させる係止手段とを有する電気掃除機において、前記集塵ケースを前記集塵部から外した状態で前記集塵蓋が閉じることを阻止する阻止手段を有し、前記阻止手段には前記集塵ケースを前記集塵部に取り付けた状態で前記係止手段の一部を収容する凹部を設けたことにある。
【０００７】
また、本発明の特徴とするところは、電動送風機及び集塵部を有する掃除機本体と、前記集塵部を開閉する集塵蓋と、前記集塵部に着脱自在に設けられた集塵ケースとを有し、前記集塵ケースは、塵埃を収容する塵埃収容部と、該塵埃収容部の開口部を開閉する塵埃排出蓋と、該塵埃排出蓋を前記開口部に係止させる係止手段とを有する電気掃除機において、前記集塵ケースを前記集塵部から外した状態で前記集塵蓋が閉じることを阻止する阻止手段を有し、前記阻止手段を前記集塵ケースを前記集塵部に取り付けた状態で前記係止手段を覆うように動作させることにある。
【発明の効果】
【０００８】
本発明によれば、部品点数の増加を抑えつつ、簡単化構成で集塵ケースの取り出し時における誤操作を防止することができる。
【発明を実施するための最良の形態】
【０００９】
以下、本発明の一実施例を添付の図面に基づいて説明する。
【実施例１】
【００１０】
図５は本発明の一実施例に係る電気掃除機の全体外観図である。
【００１１】
図５において、２０１は吸引力を発生させる電動送風機、及びこの電動送風機が発生する吸引力で吸込んだ塵埃を集塵する集塵部とを備えた掃除機本体である。２０２は一端側が掃除機本体２０１の集塵部に連通するように掃除機本体２０１に接続されたホース、
２０３は一端側がホースの他端側と接続された手元操作部である。この手元操作部には電動送風機の運転に入り切りを行うスイッチ２０３ａが設けられている。２０４は一端側が手元操作部２０３の他端側と接続された伸縮可能な延長管、２０５は延長管の他端側と接続され、掃除面の塵埃を吸込む吸口体である。手元操作部２０３のスイッチ２０３ａを操作して電動送風機を運転させると、吸引力が発生し、吸口体２０５から吸込まれた塵埃が、延長管２０４，手元操作部２０３，ホース２０２を介して掃除機本体２０１の集塵部に集塵される。
【００１２】
次に図１〜図４を用いて掃除機本体の構成を説明する。
【００１３】
図１及び図２は本発明の一実施例に係る掃除機本体２０１の外観斜視図であり、図１は集塵ケース１０６を集塵部１０４に収納して集塵蓋１０５を開いた状態を示す外観斜視図、図２は集塵ケース１０６を集塵部１０４から外して集塵蓋１０５を開いた状態を示す外観斜視図である。図３及び図４は掃除機本体２０１の縦断面図であり、図３は集塵ケース１０６を集塵部１０４に収納して集塵蓋１０５を閉じた状態を示す縦断面図、図４は集塵ケース１０６を集塵部１０４から外して集塵蓋１０５が半開きになった状態を示す縦断面図である。
【００１４】
１０１は掃除機本体２０１の下部分を構成する下ケース、１０２は下ケース１０１の上方に設けられた上ケースである。下ケース１０１及び上ケース１０２で構成される後方の空間内には、吸引力を発生させるための電動送風機１０３が収容されている。掃除機本体２０１の前方には、集塵部１０４が形成されている。この集塵部１０４は上方が開口されており、この開口を覆うように集塵蓋１０５が設けられている。この集塵蓋１０５は、回動軸１０５ａを中心に回動自在に回動支持されており、集塵部１０４の開口を開閉自在に覆っている。
【００１５】
１０６は集塵部１０４に着脱自在に装着される集塵ケースであり、この集塵ケース106は集塵蓋１０５を開閉することによって、集塵部１０４から取り外し、また、集塵部104に装着することができる。
【００１６】
１０７は集塵ケース１０６の後方（下流側）に配置されたフィルタに振動を与えて除塵する除塵手段である。この除塵手段１０７は、筒状に形成されたシリンダ１０７ａと、シリンダ１０７ａの外周に螺旋状に巻かれたワイヤ１０７Ｂとから構成されている。そして、図示しないコードリールを引き出してコードリールのドラムを回転させ、これを駆動力としてドラムにギアを介して接続されたシリンダ１０７ａを回転させる。シリンダ１０７ａが回転すると螺旋状のワイヤ１０７ｂも回転し、ワイヤ１０７ｂでフィルタを弾いて振動を与え、フィルタに付着した塵埃の除塵を行う。１０８はホース２０２が接続されるホース接続口であり、集塵ケース１０６の流入口と連通する。
【００１７】
１０９は集塵ケース１０６を集塵部１０４から外した状態で集塵蓋１０５が閉じることを阻止する阻止手段である。この阻止手段１０９の構成については後述する。
【００１８】
次に図６及び図７を用いて集塵ケース１０６の構成について説明する。
【００１９】
図６及び図７は集塵ケース１０６の外観斜視図であり、図６は塵埃排出蓋を閉じた状態を示す図、図７は塵埃排出蓋１１１を開放した状態を示す図である。
【００２０】
集塵ケース１０６は、塵埃を収容すると共に、塵埃を排出する開口部を有する塵埃収容部１１０と、この塵埃収容部１１０の開口部を閉塞する塵埃排出蓋１１１を備えている。この塵埃排出蓋は集塵ケース１０６の流入口１１２（図３）にから流入した含塵空気から塵埃を取り除くフィルタで構成されている。集塵ケース１０６の上方には、掃除機本体
２０１の集塵部１０４から集塵ケース１０６を取り外したり、或いは集塵部１０４に集塵ケース１０６を装着する時に使用者が握るためのハンドル部１１３が形成されている。このハンドル部１１３は掃除機本体２０１の前後方向（長手方向）に延びるように設けられている。塵埃排出蓋１１１側にあるハンドル部１１３の端部には、塵埃排出蓋１１１を塵埃収容部１１０に保持するための係止手段１１４が設けられている。この係止手段１１４は使用者が押すためのボタン部１１４ａと、塵埃排出蓋の上部に形成された係合穴部111aと係合する係合爪部１１４ｂを備えている。ボタン部１１４ａはハンドル部１１３側（掃除機本体２０１の前側）に押されると、係合爪部１１４ｂが下方向に移動し、係合穴部
１１１ａとの係合状態を解除する。これにより、塵埃排出蓋１１１は回動軸１１５を回動支点として塵埃収容部１１０の開口部を開放し、塵埃収容部１１０内の塵埃を排出する。このように本実施例ではボタン部１１４ａを押すことで、塵埃排出蓋１１１を回動させて塵埃収容部１１０の開口部を開放できるので、使用者が誤ってボタン部１１４ａを押した状態で掃除機本体２０１の集塵部１０４から集塵ケース１０６を引き上げて取り外すと、塵埃排出蓋１１１が回動して塵埃収容部１１０の開口部が開放し、塵埃収容部１１０内の塵埃が外部に飛び出す虞がある。これを防止するための構成について図８〜図１１を用いて説明する。
【００２１】
図８は図１のＡ部の部分拡大図、図９は図２のＢ部の部分拡大図、図１０は図３のＣ部の部分拡大図、図１１は図４のＤ部の部分拡大図である。
【００２２】
図９及び図１１において、阻止手段１０９は、回動軸１２０を有して掃除機本体２０１に取り付けられている。この阻止手段１０９の中央部には、後述する係止手段１１４のボタン部１１４ａが収容される凹部１３０が形成されている。また、下方でかつ回動軸120の回転中心より前側の位置にはバネ等の付勢手段１２１が設けられている。この付勢手段１２１は、阻止手段１０９の回動軸１２０の回転中心より前側の部分を押し上げるようにして働き、これにより阻止手段１０９は回動軸１２０を支点として上部１０９ａが後方側に倒れるように回動する。この状態において、集塵蓋１０５で集塵部１０４を閉塞するようにすると、図４及び図１１に示すように集塵蓋１０５の集塵部１０４側に向かって突出したリブ体１０５ａと、後方側に倒れた阻止手段の上部１０９ａとが当接し、集塵蓋105が閉じるのを阻止する。これにより、使用者は集塵部１０４に集塵ケース１０６が装着されていないことを知ることができ、集塵ケース１０６が集塵部１０４に装着されていない状態で電動送風機１０３が運転されるのを防ぐことができる。
【００２３】
次に集塵ケース１０６を集塵部１０４に装着すると、図８及び図１０に示すように、係止手段１１４のボタン部１１４ａが阻止手段１０９の凹部１３０に入り込み、さらに阻止手段１０９の前側部分を下方向に押す。阻止手段１０９は係止手段１１４のボタン部114aで押圧されることにより、付勢手段１２１に付勢力に打ち勝って阻止手段１０９の上部
１０９ａが後方部から起き上がる。この状態において、集塵蓋１０５で集塵部１０４を閉塞するようにすると、図１０に示すように阻止手段の上部１０９ａは集塵蓋１０５のリブ体１０５ａと当接する位置から退避し、集塵蓋１０５を閉じることができる。
【００２４】
集塵部１０４に集塵ケース１０６が装着されている状態から集塵ケース１０６を取り外す場合には、ハンドル部１１３を持って集塵部１０４の上方に向かって引き抜くようにするが、本実施例では係止手段１１４のボタン部１１４ａは阻止手段１０９の凹部１３０に収容され、ボタン部１１４ａの周りが覆われるようにしているので、係止手段１１４のボタン部１１４ａを押すことができず、集塵ケース１０６を取り外す際に誤って係止手段
１１４のボタン部１１４ａを押すことがない。従って、集塵ケース１０６を取り外す際に塵埃が集塵収容部１１０から飛び出すのを防止することができる。
【００２５】
しかも本実施例では、集塵部１０４から集塵ケース１０６を取り外す際、係止手段114のボタン部１１４ａが押せないようにするための機能を阻止手段１０９に持たせるようにしたので、部品点数を増加することなく、簡単化構成で集塵ケース１０６の取り出し時における誤操作を防止することができる。
【図面の簡単な説明】
【００２６】
【図１】集塵ケース１０６を集塵部１０４に収納して集塵蓋１０５を開いた状態を示す外観斜視図である。
【図２】集塵ケース１０６を集塵部１０４から外して集塵蓋１０５を開いた状態を示す外観斜視図である。
【図３】集塵ケース１０６を集塵部１０４に収納して集塵蓋１０５を閉じた状態を示す縦断面図である。
【図４】集塵ケース１０６を集塵部１０４から外して集塵蓋１０５が半開きになった状態を示す縦断面図である。
【図５】本発明の一実施例に係る電気掃除機の全体外観図である。
【図６】塵埃排出蓋１１１を閉じた状態を示す図である。
【図７】塵埃排出蓋１１１を開放した状態を示す図である。
【図８】図１のＡ部の部分拡大図である。
【図９】図２のＢ部の部分拡大図である。
【図１０】図３のＣ部の部分拡大図である。
【図１１】図４のＤ部の部分拡大図である。
【符号の説明】
【００２７】
１０４…集塵部、１０５…集塵蓋、１０６…集塵ケース、１０９…阻止手段、１１４…係止手段、１３０…凹部。
【図１】
2008000381.tif 000003
【図２】
2008000381.tif 000004
【図３】
2008000381.tif 000005
【図４】
2008000381.tif 000006
【図５】
2008000381.tif 000007
【図６】
2008000381.tif 000008
【図７】
2008000381.tif 000009
【図８】
2008000381.tif 000010
【図９】
2008000381.tif 000011
【図１０】
2008000381.tif 000012
【図１１】
2008000381.tif 000013